(57)【要約】  【課題】  複数の外部入力端子を備える電子機器において、登録作業等の面倒な作業を必要とすることなく、容易に、且つ、迅速に前記複数の外部入力端子を選択的に切り換えることができる電子機器を提供する。  【解決手段】  外部入力端子２１〜２６を備えるテレビジョン受像機において、外部入力端子２１〜２６を選択的に切り換えるＡＶスイッチ３と、入力切換キー８１と複数の数字キー８２とを有するリモコン８と、入力切換キー８１が押下されたときから所定時間、動作モードを入力切換モードに保持し、動作モードが前記入力切換モードのときに複数の数字キー８２のいずれかが押下された場合には、外部入力端子２１〜２６のうちの押下された数字キーに対応する外部入力端子に切り換わるようにＡＶスイッチ３を制御するマイコン６とを備える。【選択図】      図１
2006148715.tif 000002
【特許請求の範囲】
【請求項１】
複数の外部入力端子とテレビジョン放送信号のチャンネル選局を行うチューナとを備え
る電子機器において、
前記複数の外部入力端子のそれぞれと前記チューナとを選択的に切り換える切換部と、
入力切換キーと複数の異なる数字のそれぞれの数字に対応した複数の数字キーとを有し
、前記入力切換キーが押下されたときには入力切換キー信号を出力し、前記複数の数字キ
ーが押下されたときには押下されたそれぞれの数字キーに対応するそれぞれの数字キー信
号を出力する操作部と、
時間計測手段と、前記それぞれの数字キー信号と前記複数の外部入力端子のそれぞれと
の対応関係、及び、前記それぞれの数字キー信号と前記チューナが選局する複数のチャン
ネルのそれぞれとの対応関係、及び、前記チューナと前記複数の外部入力端子のそれぞれ
とにおける所定の順序を示すデータが記憶されている記憶手段と、前記入力切換キー信号
が与えられたときから前記時間計測手段が所定時間を計測するまで、動作モードを入力切
換モードに保持する保持手段とを有し、動作モードが前記入力切換モードのときに前記そ
れぞれの数字キー信号のいずれかが与えられた場合には、前記複数の外部入力端子のうち
の与えられた数字キー信号に対応する外部入力端子に切り換わるように前記切換部を制御
し、動作モードが前記入力切換モードのときに前記入力切換キー信号が与えられた場合に
は、前記チューナと前記複数の外部入力端子のそれぞれとが前記所定の順序で順次切り換
わるように前記切換部を制御し、動作モードが前記入力切換モードではないときに前記そ
れぞれの数字キー信号のいずれかが与えられた場合には、前記チューナに切り換わるよう
に前記切換部を制御するとともに、与えられた数字キー信号に対応するチャンネルの選局
が行われるように前記チューナを制御する制御部と、
を備えたことを特徴とする電子機器。
【請求項２】
複数の外部入力端子を備える電子機器において、
前記複数の外部入力端子を選択的に切り換える切換部と、
入力切換キーと複数の数字キーとを有する操作部と、
前記入力切換キーが押下されたときから所定時間、動作モードを入力切換モードに保持
し、動作モードが前記入力切換モードのときに前記複数の数字キーのいずれかが押下され
た場合には、前記複数の外部入力端子のうちの押下された数字キーに対応する外部入力端
子に切り換わるように前記切換部を制御する制御部と、
を備えたことを特徴とする電子機器。
【請求項３】
複数の外部入力端子を備える電子機器において、
前記複数の外部入力端子を選択的に切り換える切換部と、
入力切換キーと複数の異なる数字のそれぞれの数字に対応した複数の数字キーとを有し
、前記入力切換キーが押下されたときには入力切換キー信号を出力し、前記複数の数字キ
ーが押下されたときには押下されたそれぞれの数字キーに対応するそれぞれの数字キー信
号を出力する操作部と、
時間計測手段と、前記それぞれの数字キー信号と前記複数の外部入力端子のそれぞれと
の対応関係を示すデータが記憶されている記憶手段と、前記入力切換キー信号が与えられ
たときから前記時間計測手段が所定時間を計測するまで、動作モードを入力切換モードに
保持する保持手段とを有し、動作モードが前記入力切換モードのときに前記それぞれの数
字キー信号のいずれかが与えられた場合には、前記複数の外部入力端子のうちの与えられ
た数字キー信号に対応する外部入力端子に切り換わるように前記切換部を制御する制御部
と、
を備えたことを特徴とする電子機器。
【請求項４】
内部機器をさらに備え、
前記切換部は、前記複数の外部入力端子のそれぞれと前記内部機器とを選択的に切り換
え、
前記記憶手段に記憶されている前記データには、前記内部機器と前記複数の外部入力端
子のそれぞれとにおける所定の順序を示すデータが含まれ、
前記制御部は、動作モードが前記入力切換モードのときに前記入力切換キー信号が与え
られた場合には、前記内部機器と前記複数の外部入力端子のそれぞれとが前記所定の順序
で順次切り換わるように前記切換部を制御し、動作モードが前記入力切換モードではない
ときに前記それぞれの数字キー信号のいずれかが与えられた場合には、前記内部機器に切
り換わるように前記切換部を制御するとともに、与えられた数字キー信号に対応する処理
が行われるように前記内部機器を制御することを特徴とする請求項３に記載の電子機器。
【請求項５】
前記内部機器が、テレビジョン放送信号のチャンネル選局を行うチューナであり、
前記記憶手段に記憶されている前記データには、前記それぞれの数字キー信号と前記チ
ューナが選局する複数のチャンネルのそれぞれとの対応関係を示すデータが含まれ、
前記制御部は、動作モードが前記入力切換モードではないときに前記それぞれの数字キ
ー信号のいずれかが与えられた場合には、与えられた数字キー信号に対応するチャンネル
の選局が行われるように前記チューナを制御することを特徴とする請求項４に記載の電子
機器。
【発明の詳細な説明】
【技術分野】
【０００１】
本発明は、テレビジョン受像機などの電子機器に関するものであり、特に、複数の外部
入力端子を備える電子機器に関するものである。
【背景技術】
【０００２】
従来から、テレビジョン受像機には、ＢＳ（Broadcasting Satellite）チューナ、ＣＳ
（Communication Satellite）チューナなどの各種チューナや、ビデオデッキ、ＤＶＤ（D
igital Versatile Disc）プレーヤなど数多くのメディアに対応する複数の外部機器に接
続され、それら複数の外部機器からの音声信号や映像信号などから成る外部入力信号が入
力される複数の外部入力端子が備えられている。
【０００３】
そして、内蔵する地上波チューナまたはそれら複数の外部入力端子のいずれかがユーザ
により選択され、地上波チューナから導かれる音声信号や映像信号などから成る内部信号
、または、複数の外部入力端子のうちの選択された外部入力端子に入力される外部入力信
号に基づいて、音声出力や映像出力などが行われるようになっている。
【０００４】
このユーザによる信号選択は、操作パネルまたはリモートコントロール装置（以下、リ
モコンという）に設けられた入力切換キーがユーザにより押下される度に、信号供給源を
、前記地上波チューナまたは前記複数の外部入力端子のいずれかに選択的に順次切り換え
るようにして行われている。
【０００５】
即ち、前記入力切換キーがユーザにより押下されると、このテレビジョン受像機の出力
は、前記地上波チューナで選局されたチャンネルの映像信号や音声信号に基づくものから
、前記外部入力信号に基づくものに切り換えられ、さらに、前記入力切換キーがユーザに
より押下される度に、前記複数の外部入力端子のそれぞれに入力される外部入力信号に基
づくものに所定の順序で順次、切り換えられる。
【０００６】
例えば、前記入力切換キーが押下される度に（トグルで）、選択される信号供給源は、
「ＴＶ（地上波チューナ）」→「ビデオ１」→「ビデオ２」→「ビデオ３」→「ビデオ４
」→「ビデオ５」→「ビデオ６」→「ＴＶ」のようにサイクリックに切り換わるようにな
っている。尚、「ビデオ１」、「ビデオ２」、「ビデオ３」、「ビデオ４」、「ビデオ５
」、「ビデオ６」は、複数の外部入力端子を区別するために付けられたそれぞれの外部入
力端子の名称である。
【０００７】
また、表示装置を含む多数の機器を遠隔制御する統合リモコンの外部入力選択ボタンが
選択される場合、前記表示装置の外部入力選択と関わる統合リモコンの入力ボタンが選択
されたか否かを判断し、前記統合リモコンの機器モードを表示装置モードに変更し、前記
入力された各ボタンに対するキーコードを送出するステップを含むことを特徴とする統合
リモコンの制御方法が開示されている（例えば、特許文献１参照）。
【０００８】
また、入力切換キーのみで、ディジタル放送信号と、ディジタル信号入力（ＩＥＥＥ入
力，ＵＳＢ入力，ＳＣＳＩ入力，ディジタル信号記録メディアの再生信号入力を含む）と
、従来のアナログ信号入力との入力切換えを可能とするディジタル放送受信装置がある（
例えば、特許文献２参照）。
【特許文献１】特開２００４−１２９２３６号公報
【特許文献２】特開２００３−１８４９５号公報
【発明の開示】
【発明が解決しようとする課題】
【０００９】
ところで、市場に提供されるメディアの種類は増加の一途をたどっており、それら数多
くのメディアに対応した外部機器の種類も多くなってきている。そのため、テレビジョン
受像機などの外部入力機能を有する電子機器においては、さらに多くの外部機器を接続し
、それらの外部機器からの外部入力信号を入力できるように、さらに多くの外部入力端子
を備えたものが要望されている。
【００１０】
しかしながら、外部入力端子の数が増加すると、上述のように入力切換キーを押下して
外部入力端子の選択を順次切り換えるようにしていては、ユーザは希望する外部入力端子
を選択するために、何度も入力切換キーを押下しなければならず、面倒であるとともに時
間がかかるという問題があった。
【００１１】
また、特許文献１に記載の従来技術は、表示装置を含む多数の機器を遠隔制御する統合
リモコンの機器モードを複数回変更することなく、即ち、機器設定ボタンを複数回操作す
ることなく、前記表示装置の外部入力を選択することはできるが、その前記表示装置の外
部入力選択の際は、外部入力選択ボタン、方向ボタン、選択ボタンなどの複数のボタンを
複数回操作することが必要であり、選択する外部入力が増加すれば、それだけ外部入力選
択操作は煩雑となり、時間もかかることになる。
【００１２】
また、特許文献２には、入力切換キーと数字キーとで外部入力を切り換える実施形態の
記載があるが、その切換動作を行う切換手段等の詳細は記載されておらず、また、外部入
力を数字キーで切り換えるようにするためには、切り換え可能な外部入力をディジタル放
送信号とディジタル信号入力とともに予め登録（紐付き登録）しておく必要があり、その
登録作業が面倒であるという問題があった。
【００１３】
本発明は、上記の問題点を解決するためになされたもので、複数の外部入力端子を備え
る電子機器において、登録作業等の面倒な作業を必要とすることなく、容易に、且つ、迅
速に前記複数の外部入力端子を選択的に切り換えることができる電子機器を提供すること
を目的とする。
【課題を解決するための手段】
【００１４】
上記目的を達成するために、請求項１の発明は、複数の外部入力端子とテレビジョン放
送信号のチャンネル選局を行うチューナとを備える電子機器において、前記複数の外部入
力端子のそれぞれと前記チューナとを選択的に切り換える切換部と、入力切換キーと複数
の異なる数字のそれぞれの数字に対応した複数の数字キーとを有し、前記入力切換キーが
押下されたときには入力切換キー信号を出力し、前記複数の数字キーが押下されたときに
は押下されたそれぞれの数字キーに対応するそれぞれの数字キー信号を出力する操作部と
、時間計測手段と、前記それぞれの数字キー信号と前記複数の外部入力端子のそれぞれと
の対応関係、及び、前記それぞれの数字キー信号と前記チューナが選局する複数のチャン
ネルのそれぞれとの対応関係、及び、前記チューナと前記複数の外部入力端子のそれぞれ
とにおける所定の順序を示すデータが記憶されている記憶手段と、前記入力切換キー信号
が与えられたときから前記時間計測手段が所定時間を計測するまで、動作モードを入力切
換モードに保持する保持手段とを有し、動作モードが前記入力切換モードのときに前記そ
れぞれの数字キー信号のいずれかが与えられた場合には、前記複数の外部入力端子のうち
の与えられた数字キー信号に対応する外部入力端子に切り換わるように前記切換部を制御
し、動作モードが前記入力切換モードのときに前記入力切換キー信号が与えられた場合に
は、前記チューナと前記複数の外部入力端子のそれぞれとが前記所定の順序で順次切り換
わるように前記切換部を制御し、動作モードが前記入力切換モードではないときに前記そ
れぞれの数字キー信号のいずれかが与えられた場合には、前記チューナに切り換わるよう
に前記切換部を制御するとともに、与えられた数字キー信号に対応するチャンネルの選局
が行われるように前記チューナを制御する制御部とを備えたことを特徴とする電子機器を
提供する。
【００１５】
この構成によれば、操作部の入力切換キーが押下されると、前記操作部から出力される
入力切換キー信号が与えられることにより、制御部の動作モードはそのときから所定時間
だけ入力切換モードに保持される。そして、前記制御部の動作モードが入力切換モードの
ときに、前記操作部の複数の数字キーのいずれかの数字キーが押下されると、前記操作部
から出力される押下された数字キーに対応する数字キー信号が与えられた前記制御部は、
前記複数の外部入力端子のうちの与えられた数字キー信号に対応する外部入力端子を、記
憶手段に記憶されているデータに基づいて特定し、特定した外部入力端子に切り換わるよ
うに切換手段を制御する。これにより、押下された数字キーに対応する外部入力端子に切
り換わる。
【００１６】
また、前記制御部の動作モードが入力切換モードのときに、前記操作部の入力切換キー
が押下されると、前記制御部は、前記チューナと前記複数の外部入力端子のそれぞれとが
前記記憶手段に記憶されているデータが示す所定の順序で順次切り換わるように前記切換
部を制御する。これにより、入力切換キーが押下される度に、前記チューナと前記複数の
外部入力端子のそれぞれとが所定の順序で順次切り換わる。
【００１７】
また、前記制御部の動作モードが入力切換モードではないときに、前記操作部の複数の
数字キーのいずれかの数字キーが押下されると、前記操作部から出力される押下された数
字キーに対応する数字キー信号が与えられた前記制御部は、前記チューナに切り換わるよ
うに前記切換部を制御するとともに、与えられた数字キー信号に対応するチャンネルを、
記憶手段に記憶されているデータに基づいて特定し、特定したチャンネルが選局されるよ
うに前記チューナを制御する。これにより、押下された数字キーに対応するテレビジョン
放送信号のチャンネルが選局されて入力される。
【００１８】
請求項２の発明は、複数の外部入力端子を備える電子機器において、前記複数の外部入
力端子を選択的に切り換える切換部と、入力切換キーと複数の数字キーとを有する操作部
と、前記入力切換キーが押下されたときから所定時間、動作モードを入力切換モードに保
持し、動作モードが前記入力切換モードのときに前記複数の数字キーのいずれかが押下さ
れた場合には、前記複数の外部入力端子のうちの押下された数字キーに対応する外部入力
端子に切り換わるように前記切換部を制御する制御部とを備えたことを特徴とする電子機
器を提供する。
【００１９】
この構成によれば、操作部の入力切換キーが押下されると、制御部の動作モードはその
ときから所定時間だけ入力切換モードに保持される。そして、前記制御部の動作モードが
入力切換モードのときに、前記操作部の複数の数字キーのいずれかが押下されると、前記
制御部は、前記複数の外部入力端子のうちの押下された数字キーに対応する外部入力端子
に切り換わるように切換手段を制御する。これにより、押下された数字キーに対応する外
部入力端子に切り換わる。
【００２０】
請求項３の発明は、複数の外部入力端子を備える電子機器において、前記複数の外部入
力端子を選択的に切り換える切換部と、入力切換キーと複数の異なる数字のそれぞれの数
字に対応した複数の数字キーとを有し、前記入力切換キーが押下されたときには入力切換
キー信号を出力し、前記複数の数字キーが押下されたときには押下されたそれぞれの数字
キーに対応するそれぞれの数字キー信号を出力する操作部と、時間計測手段と、前記それ
ぞれの数字キー信号と前記複数の外部入力端子のそれぞれとの対応関係を示すデータが記
憶されている記憶手段と、前記入力切換キー信号が与えられたときから前記時間計測手段
が所定時間を計測するまで、動作モードを入力切換モードに保持する保持手段とを有し、
動作モードが前記入力切換モードのときに前記それぞれの数字キー信号のいずれかが与え
られた場合には、前記複数の外部入力端子のうちの与えられた数字キー信号に対応する外
部入力端子に切り換わるように前記切換部を制御する制御部とを備えたことを特徴とする
電子機器を提供する。
【００２１】
この構成によれば、操作部の入力切換キーが押下されると、前記操作部から出力される
入力切換キー信号が与えられることにより、制御部の動作モードはそのときから所定時間
だけ入力切換モードに保持される。そして、前記制御部の動作モードが入力切換モードの
ときに、前記操作部の複数の数字キーのいずれかの数字キーが押下されると、前記操作部
から出力される押下された数字キーに対応する数字キー信号が与えられた前記制御部は、
前記複数の外部入力端子のうちの与えられた数字キー信号に対応する外部入力端子を、記
憶手段に記憶されているデータに基づいて特定し、特定した外部入力端子に切り換わるよ
うに切換手段を制御する。これにより、押下された数字キーに対応する外部入力端子に切
り換わる。
【００２２】
請求項４の発明では、請求項３の発明において、内部機器をさらに備え、前記切換部は
、前記複数の外部入力端子のそれぞれと前記内部機器とを選択的に切り換え、前記記憶手
段に記憶されている前記データには、前記内部機器と前記複数の外部入力端子のそれぞれ
とにおける所定の順序を示すデータが含まれ、前記制御部は、動作モードが前記入力切換
モードのときに前記入力切換キー信号が与えられた場合には、前記内部機器と前記複数の
外部入力端子のそれぞれとが前記所定の順序で順次切り換わるように前記切換部を制御し
、動作モードが前記入力切換モードではないときに前記それぞれの数字キー信号のいずれ
かが与えられた場合には、前記内部機器に切り換わるように前記切換部を制御するととも
に、与えられた数字キー信号に対応する処理が行われるように前記内部機器を制御するこ
とを特徴としている。
【００２３】
この構成によれば、前記制御部の動作モードが入力切換モードのときに、前記操作部の
入力切換キーが押下されると、前記制御部は、前記複数の外部入力端子のそれぞれと前記
内部機器とが前記記憶手段に記憶されているデータが示す所定の順序で順次切り換わるよ
うに前記切換部を制御する。これにより、入力切換キーが押下される度に、前記複数の外
部入力端子のそれぞれと前記内部機器とが所定の順序で順次切り換わる。
【００２４】
また、前記制御部の動作モードが入力切換モードではないときに、前記操作部の複数の
数字キーのいずれかの数字キーが押下されると、前記操作部から出力される押下された数
字キーに対応する数字キー信号が与えられた前記制御部は、前記内部機器に切り換わるよ
うに前記切換部を制御するとともに、与えられた数字キー信号に対応する処理が行われる
ように前記内部機器を制御する。これにより、押下された数字キーに対応する処理を前記
内部機器に行わせることができるとともに前記内部機器からの信号が入力されることにな
る。
【００２５】
請求項５の発明では、請求項４の発明において、前記内部機器が、テレビジョン放送信
号のチャンネル選局を行うチューナであり、前記記憶手段に記憶されている前記データに
は、前記それぞれの数字キー信号と前記チューナが選局する複数のチャンネルのそれぞれ
との対応関係を示すデータが含まれ、前記制御部は、動作モードが前記入力切換モードで
はないときに前記それぞれの数字キー信号のいずれかが与えられた場合には、与えられた
数字キー信号に対応するチャンネルの選局が行われるように前記チューナを制御すること
を特徴としている。
【００２６】
この構成によれば、前記制御部の動作モードが入力切換モードではないときに、前記操
作部の複数の数字キーのいずれかの数字キーが押下されると、前記操作部から出力される
押下された数字キーに対応する数字キー信号が与えられた前記制御部は、前記チューナに
切り換わるように前記切換部を制御するとともに、与えられた数字キー信号に対応するチ
ャンネルを、記憶手段に記憶されているデータに基づいて特定し、特定したチャンネルが
選局されるように前記チューナを制御する。これにより、押下された数字キーに対応する
テレビジョン放送信号のチャンネルが選局されて入力される。
【発明の効果】
【００２７】
以上のように本発明によれば、操作部の入力切換キーを押下した後、所定時間の間に、
前記操作部の複数の数字キーのいずれかを押下すると、複数の外部入力端子のうちの押下
した数字キーに対応する外部入力端子に切り換えることができる。即ち、容易に、且つ、
迅速に複数の外部入力端子を選択的に切り換えることができる電子機器が実現できる。
【発明を実施するための最良の形態】
【００２８】
以下、添付図面を参照しつつ、本発明の実施形態について説明する。図１は、本発明の
一実施形態のテレビジョン受像機（電子機器）の電気的構成を示すブロック図である。
【００２９】
図１に示すテレビジョン受像機は、図示しないアンテナで受信した地上波テレビジョン
放送のチャンネルを選択する地上波チューナ１と、６個の外部入力端子２１〜２６で構成
され、それぞれの外部入力端子に接続される外部機器から映像／音声信号が入力される外
部入力部２とを備えている。
【００３０】
ここで、外部入力部２の外部入力端子２１、２２は、コンポジット映像信号に対応した
通常、ピン端子と呼ばれるコンポジット端子で構成されている。また、外部入力端子２３
、２４は、セパレート映像信号に対応した通常、Ｓ端子と呼ばれるセパレート端子で構成
されている。そして、外部入力端子２５、２６は、コンポーネント映像信号に対応した通
常、Ｄ端子と呼ばれるコンポーネント端子で構成されている。このように、複数の映像信
号タイプに応じた外部入力端子を備えることで、複数の映像信号タイプで供給される映像
／音声信号が入力可能となる。
【００３１】
また、ユーザが、このテレビジョン受像機における外部入力端子２１〜２６のそれぞれ
を認識し易くするために、外部入力端子２１〜２６には、それぞれ順に「ビデオ１」〜「
ビデオ６」の名称が付けられている。
【００３２】
また、図１に示すテレビジョン受像機は、与えられる映像信号に基づく映像を出力する
ＣＲＴ（Cathode Ray Tube）などで構成される表示部４と、与えられる音声信号に基づく
音声を出力するスピーカ５と、地上波チューナ１から導かれる映像／音声信号と外部入力
端子２１〜２６を介して導かれる複数の映像／音声信号とから１つの映像／音声信号を選
択し、選択した映像信号を表示部４へ与えるとともに、選択した音声信号をスピーカ５へ
与える映像／音声信号選択部（ＡＶ（Audio Visual）スイッチ、切換部）３とを備えてい
る。これにより、ＡＶスイッチ３で選択された映像／音声信号に基づく映像及び音声が、
表示部４及びスピーカ５から出力される。
【００３３】
また、図１に示すテレビジョン受像機は、ＡＶスイッチ３を制御するマイクロコンピュ
ータ（マイコン、制御部）６と、操作されたキーに応じたリモコンコード（リモコン信号
）を光信号にして送信するリモコン（操作部）８と、リモコン８からの光信号のリモコン
コードを受信して電気信号に変換し、その変換したリモコンコードをマイコン６に与える
リモコン信号受信部７とを備えている。
【００３４】
図２は、リモコン８の要部外観を示す平面図である。図２に示すように、リモコン８は
、入力信号源を切り換えるための入力切換キー８１と、「１」〜「１２」までの数字が記
された１２個の数字キー８２とを備えている。そして、リモコン８は、入力切換キー８１
が押下されると、入力切換キー８１に対応するリモコンコードである入力切換キーコード
（入力切換キー信号）をリモコン８の図示しない光信号送信部から光信号として送信し、
数字キー８２のいずれかが押下されると、押下された数字キーに対応するリモコンコード
である数字キーコード（数字キー信号）を前記光信号送信部から光信号として送信するよ
うになっている。
【００３５】
また、マイコン６は、各種動作や各種演算処理を行うためのプログラム及びデータ等が
予め記憶されているＲＯＭ（Read Only Memory：記憶手段）６１や、ワーキングメモリと
してのＲＡＭ（Random Access Memory：保持手段）６２や、時間計測を行うタイマ（時間
計測手段）６３などを有している。尚、タイマ６３は、予め設定された設定値から減算す
る減算タイマである。
【００３６】
ＲＯＭ６１に記憶されているデータには、前記複数の数字キーコードのそれぞれと複数
の外部入力端子２１〜２６のそれぞれとの対応関係を示すデータ、及び、前記複数の数字
キーコードのそれぞれと地上波チューナ１が選局する複数のチャンネルのそれぞれとの対
応関係を示すデータ、及び、地上波チューナ１と複数の外部入力端子２１〜２６のそれぞ
れとにおける所定の順序を示すデータなどが含まれている。尚、本例においては、前記所
定の順序は、地上波チューナ１、外部入力端子２１〜２６の順とする。
【００３７】
そして、マイコン６は、ＡＶスイッチ３を制御するとともに、図１に示すテレビジョン
受像機の各部を制御する。例えば、表示部４にＯＳＤ（On Screen Display）信号を送信
して表示部４にＯＳＤ表示を行うように制御する。これにより、表示部４にマイコン６が
指示する画像等を表示することができる。
【００３８】
また、マイコン６は、後述する通常モード時には、リモコン信号受信部７から送られて
くる数字キーコードに対応するチャンネルをＲＯＭ６１に記憶されているデータから特定
し、その特定したチャンネルが地上波チューナ１により選局されるように地上波チューナ
１に制御信号を送信する。これにより、ユーザはリモコン８を操作して地上波チューナ１
のチャンネル選局を行うことができ、選局されたチャンネルの地上波テレビ放送を視聴す
ることができる。
【００３９】
次に、以上説明した構成の図１に示すテレビジョン受像機の動作を図３を参照して説明
する。図３は、図１に示すテレビジョン受像機の外部入力切換時の動作を説明するための
フローチャートである。
【００４０】
先ず、マイコン６は、ユーザによるリモコン８の入力切換キー８１の押下がなされたか
否かを判別する（ステップＳ１）。即ち、ユーザがリモコン８の入力切換キー８１を押下
することによりリモコン８から入力切換キーコードが送信され、それを受信したリモコン
信号受信部７からその入力切換キーコードが送られてきたか否かを判別する。
【００４１】
リモコン信号受信部７から入力切換キーコードが送られてきていない場合、即ち、ユー
ザによるリモコン８の入力切換キー８１の押下がなされていない場合（ステップＳ１のＮ
ｏ）、マイコン６は、動作モードを通常モードにし（ステップＳ９）、再び、ステップＳ
１に戻り、リモコン８の入力切換キー８１の押下がなされたか否かを判別する。
【００４２】
尚、マイコン６は、この通常モード時において、ユーザによりリモコン８の数字キーの
押下がなされた場合、即ち、ユーザがリモコン８の数字キー８２を押下することにより、
リモコン８から押下された数字キーに対応する数字キーコードが送信され、それを受信し
たリモコン信号受信部７からその数字キーコードが送られてきた場合、その送られてきた
数字キーコードに対応するチャンネルをＲＯＭ６１に記憶されているデータから特定し、
その特定したチャンネルが地上波チューナ１により選局されるように地上波チューナ１に
制御信号を送信するとともに、地上波チューナ１が選択されるようにＡＶスイッチ３を制
御する。
【００４３】
これにより、数字キー８２の押下された数字キーに対応するチャンネルの地上波テレビ
ジョン放送の映像、音声が表示部４、スピーカ５から出力される。即ち、ユーザはリモコ
ン８の数字キー８２を押下することにより地上波テレビジョン放送のチャンネル選局を行
うことができ、選局したチャンネルの地上波テレビジョン放送の映像、音声を視聴するこ
とができる。
【００４４】
一方、リモコン信号受信部７から入力切換キーコードが送られてきた場合、即ち、ユー
ザによるリモコン８の入力切換キー８１の押下がなされた場合（ステップＳ１のＹｅｓ）
、マイコン６は、動作モードを入力切換モードにする（ステップＳ２）。このとき、マイ
コン６は、ＲＡＭ６２に入力切換モードになったことを示す入力切換モードフラグを記憶
（保持）させるとともに、予め、所定時間（例えば、３秒）に設定値が設定された減算タ
イマであるタイマ６３をスタートさせる。
【００４５】
さらに、このとき、マイコン６は、ユーザに入力切換モードになっていることを通知す
るための画像等（例えば、「外部入力切換」という文字）を表示部４に表示するように表
示部４にＯＳＤ信号を送信する。これにより、表示部４に現在表示している映像とともに
「外部入力切換」という文字が表示され、ユーザは、入力切換キー８１の押下が受け付け
られて外部入力切換が行える状態になったことを認識することができる。
【００４６】
次に、マイコン６は、ユーザによるリモコン８の数字キー８２の押下がなされたか否か
を判別する（ステップＳ３）。即ち、ユーザがリモコン８の数字キー８２のいずれかの数
字キーを押下することにより、リモコン８から押下された数字キーに対応する数字キーコ
ードが送信され、それを受信したリモコン信号受信部７からその数字キーコードが送られ
てきたか否かを判別する。
【００４７】
リモコン信号受信部７から数字キーコードが送られてきた場合（ステップＳ３のＹｅｓ
）、マイコン６は、外部入力端子２１〜２６のうち、その数字キーコードに対応する外部
入力端子をＲＯＭ６１に記憶されているデータから特定し、その特定した外部入力端子が
選択されるようにＡＶスイッチ３を制御する（ステップＳ４）。例えば、数字キー８２の
「１」の数字キーが押下され、「１」の数字キーに対応する数字キーコードが送られてき
た場合、マイコン６は、外部入力端子２１（「ビデオ１」）が選択されるようにＡＶスイ
ッチ３を制御する。
【００４８】
これにより、外部入力端子２１がＡＶスイッチ３により選択され、外部入力端子２１に
入力される映像／音声信号が表示部４、スピーカ５に与えられ、表示部４、スピーカ５か
ら外部入力端子２１に入力される映像／音声信号に基づく映像、音声が出力される。同様
に、数字キー８２の「２」〜「６」のいずれかの数字キーが押下された場合は、外部入力
端子２２（「ビデオ２」）〜外部入力端子２６（「ビデオ６」）のいずれかに入力される
映像／音声信号に基づく映像、音声が出力される。また、このとき、マイコン６は、タイ
マ６３をリセットして再スタートさせる。即ち、タイマ６３は、再び、タイマ６３の設定
値である３秒から減算を開始する。
【００４９】
そして、外部入力端子を切り換えた後（ステップＳ４）、または、リモコン信号受信部
７から数字キーコードが送られてきていない場合、即ち、ユーザによるリモコン８の数字
キー８２の押下がなされていない場合（ステップＳ３のＮｏ）、次に、マイコン６は、ユ
ーザによるリモコン８の入力切換キー８１の押下がなされたか否かを判別する（ステップ
Ｓ５）。即ち、ユーザがリモコン８の入力切換キー８１を押下することによりリモコン８
から入力切換キーコードが送信され、それを受信したリモコン信号受信部７からその入力
切換キーコードが送られてきたか否かを判別する。
【００５０】
リモコン信号受信部７から入力切換キーコードが送られてきた場合、即ち、ユーザによ
るリモコン８の入力切換キー８１の押下がなされた場合（ステップＳ５のＹｅｓ）、マイ
コン６は、ＲＯＭ６１に記憶されているデータが示す所定の順序に基づき、ＡＶスイッチ
３が現在選択している信号入力源（地上波チューナ１及び外部入力端子２１〜２６のいず
れか）の前記所定の順序における次の順の信号入力源が選択されるようにＡＶスイッチ３
を制御する（ステップＳ６）。
【００５１】
本例の前記所定の順序は、地上波チューナ１、外部入力端子２１〜２６の順であるので
、例えば、現在、ＡＶスイッチ３が地上波チューナ１を選択している場合であれば、マイ
コン６は、外部入力端子２１が選択されるようにＡＶスイッチ３を制御し、現在、ＡＶス
イッチ３が外部入力端子２５を選択している場合であれば、マイコン６は、外部入力端子
２６が選択されるようにＡＶスイッチ３を制御し、現在、ＡＶスイッチ３が外部入力端子
２６を選択している場合であれば、マイコン６は、地上波チューナ１が選択されるように
ＡＶスイッチ３を制御する。
【００５２】
これにより、表示部４、スピーカ５からの映像、音声の出力は、ＡＶスイッチ３により
選択された信号入力源からの映像／音声信号に基づく映像、音声に切り換わる。また、こ
のとき、マイコン６は、タイマ６３をリセットして再スタートさせる。即ち、タイマ６３
は、再び、タイマ６３の設定値である３秒から減算を開始する。
【００５３】
そして、外部入力端子を切り換えた後（ステップＳ６）、または、リモコン信号受信部
７から入力切換キーコードが送られてきていない場合、即ち、ユーザによるリモコン８の
入力切換キー８１の押下がなされていない場合（ステップＳ５のＮｏ）、次に、マイコン
６は、タイマ６３がタイムアップしているか否かを確認し（ステップＳ７）、タイマ６３
がタイムアップしていない場合は（ステップＳ７のＮｏ）、ステップＳ３に戻って再び、
数字キー８２、入力切換キー８１が押下されたか否かを順に確認し、タイマ６３がタイム
アップしている場合は（ステップＳ７のＹｅｓ）、ステップＳ８に移行して入力切換モー
ドを解除する。
【００５４】
このとき、即ち、ステップＳ８での入力切換モードの解除時において、マイコン６は、
ＲＡＭ６２に記憶させた入力切換モードフラグを消去（保持解除）し、タイマ６３をスト
ップさせ、表示部４に表示している「外部入力切換」の表示を消去するように制御する。
そして、マイコン６は、入力切換モードを解除した後（ステップＳ８）、通常モードに移
行する（ステップＳ９）。このようにして外部入力の切り換えが行われる。
【００５５】
以上説明したように、本実施形態のテレビジョン受像機は、リモコン８の入力切換キー
８１を押下した後、所定時間（例えば、３秒）以内に、数字キー８２のいずれかの数字キ
ーを押下すれば、現在、表示部４、スピーカ５から出力されている映像、音声を、複数の
外部入力端子２１〜２６のうち、押下された数字キーに対応する外部入力端子に入力され
る映像／音声信号に基づく映像、音声に即座に切り換えることができる。即ち、本実施携
帯のテレビジョン受像機によれば、ユーザは、容易に、且つ、迅速に複数の外部入力信号
を選択的に切り換えることができる。
【００５６】
また、リモコン８の入力切換キー８１を押下した後、所定時間（例えば、３秒）以内に
、入力切換キー８１を押下すれば、押下する度に、現在、表示部４、スピーカ５から出力
されている映像、音声を、地上波チューナ１、外部入力端子２１〜２６に入力される映像
／音声信号に基づく映像、音声に、所定の順序で順次、サイクリックに切り換えることが
できる。即ち、本実施携帯のテレビジョン受像機は、複数の外部入力端子を、従来の方法
と同じようにして順次切り換えることもできる。このようにすることにより、従来の切換
方法に慣れたユーザは、従来通りの方法で外部入力切換を行うことができる。
【００５７】
また、入力切換キー８１を押下していない場合や、リモコン８の入力切換キー８１を押
下した後、所定時間（例えば、３秒）を越えて入力切換キー８１及び数字キー８２を押下
しない状態が継続した場合は、数字キー８２のいずれかの数字キーを押下することにより
、地上波チューナ１のチャンネル選局を行うとともに、現在、表示部４、スピーカ５から
出力されている映像、音声を、選局したチャンネルの地上波テレビジョン放送の映像、音
声に切り換えることができる。
【００５８】
尚、本実施形態のテレビジョン受像機に備えられる外部入力端子の数は本実施形態の数
に限定されるものではなく、また、それら外部入力端子に入力される外部入力信号は、ア
ナログ信号に限らず、ディジタル信号であっても良い。
【００５９】
また、本実施形態はテレビジョン受像機であるが、本発明は、複数の外部入力信号が入
力される複数の外部入力端子を有する各種電子機器に適用することが可能である。
【００６０】
また、今回開示された実施形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【００６１】
【図１】本発明の一実施形態のテレビジョン受像機（電子機器）の電気的構成を示すブロック図である。
【図２】図１に示すリモコン（操作部）の要部外観を示す平面図である。
【図３】図１に示すテレビジョン受像機の外部入力切換時の動作を説明するためのフローチャートである。
【符号の説明】
【００６２】
１    地上波チューナ（チューナ）
２    外部入力部
３    映像／音声信号選択部（ＡＶスイッチ、切換部）
４    表示部
５    スピーカ
６    マイクロコンピュータ（マイコン、制御部）
７    リモコン信号受信部
８    リモートコントロール装置（リモコン、操作部）
２１〜２６    外部入力端子
６１    ＲＯＭ（記憶手段）
６２    ＲＡＭ（保持手段）
６３    タイマ（時間計測手段）
８１    入力切換キー
８２    数字キー
【図１】
2006148715.tif 000003
【図２】
2006148715.tif 000004
【図３】
2006148715.tif 000005